(57)【要約】【課題】反射光を充分に抑制することができると共に、表示装置における表示部の透明パネルとして用いた場合に、表示部の視認性を高めることができる反射防止性光学構造体を提供する。【解決手段】透明基材２の少なくとも一方の面に、透明材料から成り且つ凸部３Ａの頂点間のピッチが可視光線の波長よりも小さい微細凹凸を有する反射抑制層３と、透明基材２と反射抑制層３の間に介在する防眩層４を備えた反射防止性光学構造体１とし、反射抑制層３及び防眩層４によって外光の反射光を充分に抑制し、表示装置に適用することで表示部の視認性の向上を実現した。【選択図】  図１
2007065563.tif 000002
【特許請求の範囲】
【請求項１】
透明基材の少なくとも一方の面に、透明材料から成り且つ凸部の頂点間のピッチが可視光線の波長よりも小さい微細凹凸を有する反射抑制層と、透明基材と反射抑制層の間に介在する防眩層を備えたことを特徴とする反射防止性光学構造体。
【請求項２】
反射抑制層における微細凹凸の凸部の頂点間隔が一定であることを特徴とする請求項１に記載の反射防止性光学構造体。
【請求項３】
防眩層が、透明材料から成る母材に、可視光線の波長よりも大きい粒子径の光散乱粒子を含有していることを特徴とする請求項１又は２に記載の反射防止性光学構造体。
【請求項４】
防眩層における光散乱粒子の粒子径が、３μｍ〜３０μｍであることを特徴とする請求項３に記載の反射防止性光学構造体。
【請求項５】
防眩層における光散乱粒子の粒子径が、３μｍ〜５μｍであることを特徴とする請求項４に記載の反射防止性光学構造体。
【請求項６】
防眩層における母材中の光散乱粒子の含有率が、０．１％〜１０％であることを特徴とする請求項１〜５のいずれかに記載の反射防止性光学構造体。
【請求項７】
透明基材中に、可視光線の波長よりも長い間隔で遮光板を配列した遮光層を備えたことを特徴とする請求項１〜６のいずれかに記載の反射防止性光学構造体。
【請求項８】
遮光層における遮光板の形状が、層の厚さ方向に対して垂直な断面において、ハニカム形状、長方形網目形状及びルーバ形状のうちの少なくとも一つの形状であることを特徴とする請求項７に記載の反射防止性光学構造体。
【請求項９】
請求項１〜８のいずれかに記載の反射防止性光学構造体を表示部の透明パネルに用いたことを特徴とする表示装置。
【発明の詳細な説明】
【技術分野】
【０００１】
本発明は、例えば、車両の計器類を含む各種ディスプレイ等の表示装置において、その表示部を被う透明パネルに用いられる反射防止性光学構造体に関するものである。
【背景技術】
【０００２】
図７は、表示装置１００と人の視野Ａとの関係を示す図である。表示装置１００は、表示部１０１とその外側を被う透明パネル１０２を備えている。このような表示装置１００では、透明パネル１０２で外光が反射し、その反射光Ｌｒが人の視野Ａに入って表示部１０１が見難くなることがあるため、透明パネル１０２には反射率の低いものを用いることが望ましい。
【０００３】
そこで、従来では、上記の透明パネル１０２等に用いられる反射防止性光学構造体として、例えば図８に示すようなものが提案されていた。図示の反射防止性光学構造体１１０は、透明素材で形成してあると共に、少なくとも外側（外光入射側）となる面に、可視光線の波長よりも小さいピッチの無数の微細凹凸１１１を形成したものであって、その微細凹凸１１１によって厚み方向に光の屈折率を変化させることで、反射光を抑制するものとなっている（特許文献１）。
【特許文献１】特開２００２−２６７８１５号公報
【発明の開示】
【発明が解決しようとする課題】
【０００４】
ところで、上記したような従来の反射防止性光学構造体は、理論的には反射率を限りなくゼロに近づけることができ、その理論値が実現できれば、反射光を充分に抑制し得るものとなる。
【０００５】
ところが、従来の反射防止性光学構造体は、実際には、可視光線の波長よりも小さいサブ波長サイズのピッチで微細凹凸を正確に成形することは非常に難しく、これにより反射光を完全に防ぐことが困難であるため、これを表示装置の透明パネルに用いた場合、僅かな反射光であっても、その反射像の輪郭が明確であると表示部の視認性が著しく低下することがあり、とくに屋外等において明るい外光を受けた場合には、表示部の視認性の低下が顕著になるという問題点があり、このような問題点を解決することが課題であった。
【０００６】
本発明は、上記従来の課題に着目して成されたもので、反射光を充分に抑制することができると共に、表示装置における表示部の透明パネルとして用いた場合に、表示部の視認性を高めることができる反射防止性光学構造体を提供することを目的としている。
【課題を解決するための手段】
【０００７】
本発明の反射防止性光学構造体は、透明基材の少なくとも一方の面に、透明材料から成り且つ凸部の頂点間のピッチが可視光線の波長よりも小さい微細凹凸を有する反射抑制層と、透明基材と反射抑制層の間に介在する防眩層を備えた構成とし、上記構成をもって従来の課題を解決するための手段としている。
【０００８】
また、本発明の反射防止性光学構造体は、より好ましい実施形態として、反射抑制層における微細凹凸の凸部の頂点間隔が一定であることを特徴とし、さらに、防眩層が、透明材料から成る母材に、可視光線の波長よりも大きい粒子径の光散乱粒子を含有していることを特徴とし、さらに、防眩層における光散乱粒子の粒子径が、３μｍ〜３０μｍであることを特徴とし、さらに、防眩層における光散乱粒子の粒子径が、３μｍ〜５μｍであることを特徴とし、さらに、防眩層における母材中の光散乱粒子の含有率が、０．１％〜１０％であることを特徴としている。
【発明の効果】
【０００９】
本発明の反射防止性光学構造体によれば、上記構成を採用したことにより、反射光を充分に抑制することができ、表示装置における表示部の透明パネルとして用いた場合には、屋外等で明るい外光を受けたとしても、表示部の視認性を著しく高めることができる。
【発明を実施するための最良の形態】
【００１０】
図１に示す反射防止性光学構造体１は、透明基材２の一方の面（上面）に、透明材料から成り且つ凸部３Ａの頂点間のピッチＰ１が可視光線の最小波長３７０ｎｍよりも小さい微細凹凸を有する反射抑制層３と、透明基材２と反射抑制層３の間に介在する防眩層４を備えると共に、透明基材２の他方の面（下面）に、同じく微細凹凸を有する反射抑制層３を備えたものであって、例えば、車両の計器等の表示装置において表示部を被う透明パネルに用いられる。
【００１１】
反射抑制層３は、図２及び図３にも示すように、無数の凸部３Ａを縦横に配列して微細凹凸を形成したものであって、微細凹凸により厚み方向に光の屈折率を変化させて、反射光を抑制する働きをし、より望ましくは、凸部３Ａの頂点間隔すなわちピッチＰ１を一定にすることで、上記屈折率の変化の度合いを全面にわたって均一にする。
【００１２】
反射抑制層３は、当該光学構造体１を表示装置の透明パネルとして用いる場合、透明基材２に対して、少なくとも外側の面すなわち外光の入射側の面に設ける。また、図には四角錐形状の凸部３Ａを例示したが、その形状がとくに限定されることはなく、例えば、円錐形状や先端部を球面にした形状であっても良い。
【００１３】
防眩層４は、反射抑制層３と同様に、透明基材２に対して少なくとも外側の面すなわち外光の入射側の面に設けられると共に、透明材料から成る母材に、可視光線の最大波長７８０ｎｍよりも大きい粒子径の光散乱粒子を含有したものであり、反射抑制層３を通過した光を光散乱粒子によって散乱させる。
【００１４】
つまり、当該光学構造体１では、反射抑制層３によって大部分の反射光を抑制することが可能であるが、理論値を実現しない限り反射光を完全に防ぐことは困難であり、これを表示装置の透明パネルに用いた場合には、僅かな反射光であっても、反射像の輪郭が明確であると表示部の視認性が低下することから、防眩層４によって光を散乱させることで反射像の輪郭を不明確にし、表示部の視認性を高めるようにしている。
【００１５】
このように、当該光学構造体１は、反射抑制層３によって大部分の反射光を抑制し、且つ反射抑制層３を通過した光を防眩層４で散乱させることで、全体として反射光を充分に抑制し得るものとなっている。したがって、当該光学構造体１を透明パネルとして用いた表示装置では、表示部の視認性が著しく良好なものとなる。
【００１６】
ここで、透明基材２の素材としては、透明性があり、熱成形または活性エネルギー線によって重合し硬化するものであれば良く、例えば、ポリエチレン、ポリプロピレン、ポリビニルアルコール、ポリ塩化ビニリデン、ポリエチレンテレフタレート、ポリ塩化ビニール、ポリスチレン、ＡＢＳ樹脂、ＡＳ樹脂、アクリル樹脂、ポリアミド、ポリアセタール、ポリブチレンテレフタレート、ガラス強化ポリエチレンテレフタレート、ポリカーボネート、変性ポリフェニレンエーテル、ポリフェニレンスルフィド、ポリエーテルエーテルケトン、液晶性ポリマー、フッ素樹脂、ポリアレート、ポリスルホン、ポリエーテルスルホン、ポリアミドイミド、ポリエーテルイミド及び熱可塑性ポリイミド等の熱可塑性樹脂や、フェノール樹脂、メラミン樹脂、ユリア樹脂、エポキシ樹脂、不飽和ポリエステル樹脂、アルキド樹脂、シリコーン樹脂、ジアリルフタレート樹脂、ポリアミドビスマレイミド及びポリビスアミドトリアゾール等の熱硬化性樹脂、並びにこれらの素材を２種以上ブレンドしたものを用いることが可能である。これらの素材は防眩層４の母材にも用いることができる。
【００１７】
防眩層４における光散乱粒子の素材としては、シリカ、タルク、クレー、アルミナホワイト、炭酸カルシウム、ポリアクリル酸エステル類、ポリメタクリル酸エステル類、ポリスチレン及びメラミン樹脂のそれぞれ単独又は２種以上の混合物からなるものを使用することができる。
【００１８】
光散乱粒子は、その形状がとくに限定されることはないが、例えば、球状、略球状、繊維状及び針状にすることができる。
【００１９】
光散乱粒子の粒子径（平均粒子径）は、望ましくは３μｍ〜３０μｍの範囲であり、より望ましくは３μｍ〜５μｍの範囲が良い。これは、光散乱粒子の粒子径を３μｍよりも小さくすると、光を散乱させる機能が損なわれる恐れがあり、また、光散乱粒子の粒子径を３０μｍよりも大きくすると、目視可能な大きさになって当該光学構造体１の透明性が損なわれる恐れがあるからである。したがって、光散乱粒子の粒子径を上記範囲とすることで、光散乱の機能と透明性を良好に得ることができる。
【００２０】
光散乱粒子の平均粒子径とは、体積平均粒子径すなわち同じ体積の球体に換算したときの球体直径のことである。また、体積平均粒子径の測定装置としては、ベックマンコールター社製のマルチサイザーＩＩがある。
【００２１】
さらに、防眩層４における母材中の光散乱粒子の含有率は、０．１％〜１０％の範囲が望ましい。これは、光散乱粒子の含有率を０．１％よりも小さくすると、光を散乱させる機能が損なわれる恐れがあり、また、光散乱粒子の含有率を１０％よりも大きくすると、当該光学構造体１の透明性が損なわれる恐れがあるからである。したがって、光散乱粒子の含有率を上記範囲とすることで、光散乱の機能と透明性を良好に得ることができる。
【００２２】
さらに、上記の反射防止性光学構造体１を成形する方法としては、例えば、微細凹凸構造を有する第１の型に、透明基材フィルム、光散乱粒子を含有した防眩フィルム及び透明基材フィルムを順番に積層し、その上から微細凹凸構造を有する第２の型を合わせて、全体を熱プレス成形する方法がある。
【００２３】
なお、当該光学構造体１は、表示装置における透明パネルのパネル本体を透明基材２として、反射抑制層３及び防眩層４を形成するようにしても良いし、透明基材２、反射抑制層３及び防眩層４の全体を可撓性を有するフィルム状に成形して、別の透明板に貼り付ける構成にすることも可能である。
【００２４】
図４は、自動車の計器パネルである表示装置５０と、運転者の視野Ａとの関係を示す図である。表示装置５０は、表示部５１とその外側を被う透明パネル５２を備えており、メータフードの無い構成になっている。このような表示装置５０において、図１に基づいて説明した反射防止性光学構造体１を透明パネル５２に適用することにより、メータフードが無い構成であっても、透明パネル５２の反射光を充分に抑制して表示部５１の良好な視認性を得ることができる。
【００２５】
しかし、自動車の計器パネルである表示装置５０には、夜間等における表示部５１の視認性を確保するために、表示部５１自体を発光させる自発光方式のものや、表示部５１に照明を当てる間接照明方式があることが周知であり、照明を点灯すると、表示装置５０からの表示光ＬｄがフロントウインドウＦＷで反射して虚像Ｖｉを形成し、これが運転者の視野Ａに入ることがある。
【００２６】
そこで、本発明の反射防止性光学構造体は、上記のような不具合をも解消し得るものとして、図５に示すように、透明基材２、反射抑制層３及び防眩層４を備えると共に、透明基材２中に、遮光板５Ａを有する遮光層５を備えた構成としている。
【００２７】
より具体的に説明すると、図示の反射防止性光学構造体１１は、透明基材２の一方の面（外側の面）に、透明材料から成り且つ凸部の頂点間のピッチが可視光線の最小波長３７０ｎｍよりも小さい微細凹凸を有する反射抑制層３と、透明基材２と反射抑制層３の間に介在し且つ光散乱粒子を含有した防眩層４を備えると共に、透明基材２の他方の面（表示部側である内側の面）に、同じく微細凹凸を有する反射抑制層３を備えており、透明基材２の厚さ方向のほぼ中間に、可視光線の最大波長７８０ｎｍよりも長い間隔Ｐ２で遮光板５Ａを配列した遮光層５を備えている。
【００２８】
図示の遮光層５は、図６にも示すように、遮光板５Ａと透明部５Ｂとを交互に配置することにより、層の厚さ方向に対して垂直な断面においてルーバ形状を成しており、隣接する遮光板５Ａ同士の間隔Ｐ２が可視光線の最大波長７８０ｎｍよりも長いものとなっている。この遮光層５は、例えば、厚さ方向に二分割した透明基材２で挟み込むことで、透明基材２中に介在した状態となる。
【００２９】
遮光層５において、遮光板５Ａは、その素材がとくに限定されることはなく、遮光性を有するものであれば良い。また、遮光板５Ａの形状は、図示例のほか、層の厚さ方向に対して垂直な断面において、ハニカム形状や長方形網目形状を成すものでも良い。さらに、透明部５Ｂは、その素材がとくに限定されることはなく、例えば透明なアクリル樹脂が用いられる。
【００３０】
ここで、図５に示すように、自発光法式の表示部５１からの表示光Ｌｄと、反射防止性光学構造体１１の表面の法線とが成す射出角をθとすると、遮光層５が無い場合には、射出角θの最大値は１８０°となるが、遮光層５を設けた場合には、遮光層５の遮光板５Ａによって表示部５１からの表示光Ｌｄの射出角θが制限されるために、射出角θの最大値を１８０°未満に制御することができる。
【００３１】
図４には、先述の通り、表示部５１からの表示光ＬｄがフロントウインドウＦＷで反射して虚像Ｖｉを形成し、これが運転者の視野Ａに入ることを示している。
【００３２】
このとき、表示部５１のフロントウインドウＦＷに最も近い部分からの表示光Ｌｄの軌跡を見ると、表示光Ｌｄの射出角がθ１よりも小さい場合には、フロントウインドウＦＷでの反射光が運転者の視野Ａに入ることはなく、表示部５１のフロントウインドウＦＷに最も近い部分が同ウインドウＦＷに映り込まないことが判る。
【００３３】
また、表示部５１のフロントウインドウＦＷに最も遠い部分からの表示光Ｌｄの軌跡を見ると、表示光Ｌｄの射出角がθ２よりも小さい場合には、フロントウインドウＦＷでの反射光が運転者の視野Ａに入ることはなく、表示部５１のフロントウインドウＦＷに最も遠い部分が同ウインドウＦＷに映り込まないことが判る。
【００３４】
さらに、上記の表示光Ｌｄの射出角θ１及びθ２を臨界射出角とすると、表示部５１の他の部分での臨界射出角はθ１又はθ２より大きいことが判る。したがって、表示部５１の任意の位置での臨界射出角がθ１及びθ２より小さい場合には、表示部５１の全てがフロントウインドウＦＷに映り込まないことになる。
【００３５】
そこで、当該光学構造体１１は、透明基材２、反射抑制層３及び防眩層４を備えると共に、透明基材２中に、可視光線の最大波長７８０ｎｍよりも長い間隔Ｐ２で遮光板５Ａを配列した遮光層５を備えた構成とし、表示光Ｌｄの射出角θがθ１及びθ２より小さくなるように、遮光板５Ａの配列間隔Ｐ２及び遮光層５の厚さを設定することにより、メーターフードが無い構成であっても、表示部５１がフロントウインドウＦＷに映り込むのを防ぐことができ、運転者の視野を妨げとなる虚像Ｖｉの形成を解消して、良好な視野を得ることができる。
【実施例】
【００３６】
（実施例１）
透明基材（２）の一方の面に、透明材料から成り且つ凸部（３Ａ）の頂点間のピッチ（Ｐ１）が可視光線の波長よりも小さい微細凹凸を有する反射抑制層（３）と、透明基材（２）と反射抑制層（３）の間に介在する防眩層（４）を設けると共に、透明基材（２）の他方の面に、同じく微細凹凸を有する反射抑制層（３）を設け、さらに、透明基材（２）中に、可視光線の波長よりも長い間隔（Ｐ２）で遮光板（５Ａ）を配列した遮光層（５）を設けて、図５に示す反射防止性光学構造体１１を作製した。
【００３７】
透明基材２は、透明なアクリル樹脂製であって、遮光層５の一方側（上側）の厚さｔ１を０．５ｍｍとし、遮光層５の他方側の厚さｔ２を１．５ｍｍとした。
【００３８】
両側の反射抑制層３は、透明なアクリル樹脂製であって、図２及び図３に示すように、四角錘形状の凸部３Ａを縦横に配列して微細凹部を形成したものであり、隣接する凸部３Ａ間のピッチＰ１を可視光線の最小波長３７０ｎｍよりも小さい２５０ｎｍとし、凸部３Ａの高さ（凹凸の高低差）Ｈを５００ｎｍとし、凸部３Ａの底辺ａ×ｂを２５０ｎｍ×２５０ｎｍとした。
【００３９】
防眩層４は、透明なアクリル樹脂製の母材に、体積平均粒子径５μｍのシリカ製の光散乱粒子を３％含有させたものであって、厚さｔ３を５０μｍとした。
【００４０】
遮光層５は、図６に示すように、厚さｔ４が５μｍ、幅Ｗが１７０μｍの不透明な遮光板５Ａと、透明なアクリル樹脂製の透明部５Ｂとを交互に配列することで、層の厚さ方向に対して垂直な断面において遮光板５Ａをルーバ形状に備えたものであり、遮光板５Ａの間隔（透明部５Ｂの厚さ）Ｐ２を可視光線の最大波長７８０ｎｍよりも大きい８０μｍとし、層の厚さｔ５を１７０μｍとした。
【００４１】
そして、図４に示す自動車の計器パネルである表示装置５０において、反射防止性光学構造体１１を透明パネル５２として用い、晴天時に屋外走行する車内において、表示部５１の視認性と前方視界の視認性を官能評価した。その結果を後記する表１に示す。
【００４２】
表示部５１の視認性に係わる官能評価は、８人のパネラーにより、透明パネル５２における外光の反射防止性能を判断し、反射光が全く気にならないと判断した者が７人以上の場合には、表示部５１の視認性が良好（○）であるとし、反射光が若干でも気になると判断した者が２人以上の場合には、表示部５１の視認性が不充分（△）であるとした。
【００４３】
前方視界の視認性に係わる官能評価は、同じく８人のパネラーにより、フロントウインドウＦＷにおける表示部５１の映り込み防止性能を判断し、映り込みが全く気にならないと判断した者が７人以上の場合には、前方視界の視認性が良好（○）であるとし、映り込みが若干でも気になると判断した者が２人以上の場合には、前方視界の視認性が不充分（△）であるとした。
【００４４】
ここで、視認性が不充分という評価は、若干でも気になると判断した者が２人以上の場合であるから、人によっては気になる程度であり、決して運転の妨げになるようなものではない。
【００４５】
また、この実施例の反射防止性光学構造体１１では、遮光層５において、遮光板５Ａの間隔が８０μｍで、幅Ｗが１７０μｍであるから、表示光Ｌｄの射出角θは約３９°になる。フロントウインドウＦＷの傾斜角は、殆どの市販車に適用されている３０°であり、メーターフードは無いものとした。
【００４６】
さらに、視認性に関わる物理量として、透明パネル５２の反射像コントラスト比を輝度計で測定した。反射像コントラスト比は、反射像の明部の輝度を暗部の輝度で割った値であり、その値が約１．８以下であれば反射光は殆ど気にならない。
【００４７】
さらに、表１において、ヘイズ値Ｔｈはその値が小さいほど透明性が高くなる透明性の目安であり、Ｒｖは垂直反射率、Ｔｔは垂直透過率である。
【００４８】
（実施例２）
図５に示す反射防止性光学構造体１１に対して、透明基材２の他方の面における反射抑制層３が無いものとし、それ以外は実施例１と同様とした。
【００４９】
（実施例３）
図５に示す反射防止性光学構造体１１に対して、透明基材２の他方の面における反射抑制層３を二層干渉反射防止膜とし、それ以外は実施例１と同様にした。二層干渉反射防止膜は、その外側から、膜厚１０μｍで、屈折率１．１の第１層と、膜厚１０μｍで、屈折率１．３の第２層を備えたものである。
【００５０】
（実施例４）
図５に示す反射防止性光学構造体１１に対して、遮光層５が無いものとし、それ以外は実施例１と同様とした。
【００５１】
（実施例５）
図５に示す反射防止性光学構造体１１に対して、透明基材２の他方の面における反射抑制層３と、遮光層５が無いものとし、それ以外は実施例１と同様とした。
【００５２】
（実施例６）
図５に示す反射防止性光学構造体１１に対して、透明基材２の他方の面における反射抑制層３を、実施例３と同様の二層干渉反射防止膜とすると共に、遮光層５が無いものとし、それ以外は実施例１と同様にした。
【００５３】
（比較例１）
図５に示す反射防止性光学構造体１１に対して、防眩層４と遮光層５が無いものとし、それ以外は実施例１と同様にした。
【００５４】
（比較例２）
図５に示す反射防止性光学構造体１１に対して、防眩層４と遮光層５が無いものとすると共に、透明基材２の他方の面における反射抑制層３を、実施例３と同様の二層干渉反射防止膜とし、それ以外は実施例１と同様にした。
【００５５】
（比較例３）
図５に示す反射防止性光学構造体１１に対して、透明基材２の他方の面における反射抑制層３と、防眩層４と、遮光層５が無いものとし、それ以外は実施例１と同様にした。
【００５６】
【表１】
2007065563.tif 000003
【００５７】
表１から明らかなように、比較例１〜３は、いずれも防眩層４及び遮光層５が無いことから、透明パネル５２における外光の反射光やフロントウインドウＦＷにおける表示部５１の映り込みが確認され、表示部５１の視認性及び前方視界の視認性の両方の官能評価が不充分（△）となった。
【００５８】
これに対して、本発明の実施例１〜６は、防眩層４を備えた構成とすることで、いずれも透明パネル５２における外光の反射光は何ら確認されず、表示部５１の視認性の官能評価は良好（○）であった。
【００５９】
実施例２及び５では、透明基材２の他方の面における反射抑制層３が無いことから、当該光学構造体の裏面と空気との界面で光が反射される為に垂直反射率Ｒｖが若干大きくなり、さらに、実施例４〜６では、遮光層５が無いことから、フロントウインドウＦＷにおける表示部５１の映り込みが確認されたが、実施例１〜３のように遮光層５を備えた構成とすることで、フロントウインドウＦＷにおける表示部５１の映り込みが全く確認されないものとなり、前方視界の視認性の官能評価は良好（○）であった。
【００６０】
なお、本発明の反射防止性光学構造体は、上記の如く車両の計器パネルにきわめて好適なものとなるが、それ以外にも、パソコンや携帯電話等の各種表示装置の透明パネルに適用することができ、明るい屋外においても表示装置の表示部の良好な視認性を実現することができる。
【図面の簡単な説明】
【００６１】
【図１】本発明の反射防止性光学構造体の一実施例を説明する断面図である。
【図２】反射抑制層を説明する断面図である。
【図３】反射抑制層を説明する斜視図である。
【図４】自動車の計器パネルである表示装置と運転者の視野との関係を示す説明図である。
【図５】本発明の反射防止性光学構造体の他の実施例を説明する断面図である。
【図６】遮光層を説明する斜視図（ａ）、平面図（ｂ）及び断面図（ｃ）である。
【図７】表示装置と人の視野との関係を示す説明図である。
【図８】従来の反射防止性光学構造体を説明する断面図である。
【符号の説明】
【００６２】
１  １１  反射防止性光学構造体
２        透明基材
３        反射抑制層
３Ａ      凸部
４        防眩層
５        遮光層
５Ａ      遮光板
５０      表示装置
５１      表示部
５２      透明パネル
【図１】
2007065563.tif 000004
【図２】
2007065563.tif 000005
【図３】
2007065563.tif 000006
【図４】
2007065563.tif 000007
【図５】
2007065563.tif 000008
【図６】
2007065563.tif 000009
【図７】
2007065563.tif 000010
【図８】
2007065563.tif 000011